(57)【要約】【課題】部品点数の増加や組み付け作業の作業性の低下を招くことなく、質感や外観品質を向上させることができる上下２分割型のインストルメントパネルを提供する。【解決手段】互いに連結されるインパネアッパー１０とインパネロア２０とから成り、インパネアッパー１０は、天井壁１１と上部前壁１２と上部側壁１３を一体に備え、インパネロア２０は、上部前壁１２の下方に配置される下部前壁２２と、上部側壁１３の下方に配置される下部側壁２３とを一体に備え、サイドブラケット４を介して車体側部に固定されたステアリングサポートメンバ３に支持され、サイドブラケット４に延設された被固定部４０に、下部側壁２３の上端部に設けられた固定部３０が固定されている。【選択図】図６
2015182542.tif 000002
【特許請求の範囲】
【請求項１】
互いに連結されるインパネアッパーとインパネロアとから成り、
前記インパネアッパーは、天井壁と、前記天井壁の後下方の上部前壁と、前記天井壁の横下方の上部側壁とを一体に備え、
前記インパネロアは、前記上部前壁の下方に配置される下部前壁と、前記上部側壁の下方に配置される下部側壁とを一体に備え、
サイドブラケットを介して車体側部に固定されたステアリングサポートメンバに支持されるインストルメントパネルであって、
前記サイドブラケットに延設された被固定部に、前記インパネロアの下部側壁の上端部に設けられた固定部が固定されているインストルメントパネル。
【請求項２】
前記固定部は前記被固定部に締結部材によって車両前後方向に固定されている請求項１記載のインストルメントパネル。
【請求項３】
前記インパネアッパーとインパネロアの一方が他方に対して車幅方向に移動することを規制する規制手段が、前記固定部と被固定部から成る固定構造に隣接して設けられ、
前記規制手段は、前記一方に設けられた係合部と、他方に設けられた被係合部とから成る請求項１又は２記載のインストルメントパネル。
【請求項４】
前記固定部と被固定部は前記インパネアッパーに覆われている請求項１〜３のいずれか一つに記載のインストルメントパネル。
【請求項５】
前記車体側部に当接する前記サイドブラケットの本体部から車幅方向内側に張り出すフランジが設けられ、
前記フランジに前記被固定部が設けられている請求項１〜４のいずれか一つに記載のインストルメントパネル。
【発明の詳細な説明】
【技術分野】
【０００１】
本発明は、
互いに連結されるインパネアッパーとインパネロアとから成り、
前記インパネアッパーは、天井壁と、前記天井壁の後下方の上部前壁と、前記天井壁の横下方の上部側壁とを一体に備え、
前記インパネロアは、前記上部前壁の下方に配置される下部前壁と、前記上部側壁の下方に配置される下部側壁とを一体に備え、
サイドブラケットを介して車体側部に固定されたステアリングサポートメンバに支持されるインストルメントパネルに関する。
【背景技術】
【０００２】
インストルメントパネルを上記のように上下２分割型構造に構成すると、インパネアッパーとインパネロアを互いに異なる色に設定できてインテリア性を向上させることができる。さらに、インパネアッパーとインパネロアの少なくとも一方を複雑な形状に設定できて多機能性を持たせることもできる。このように、インストルメントパネルの商品価値を向上させたい場合等に、インストルメントパネルを上下２分割型の構造に構成している。
【０００３】
従来、この種の上下２分割型のインストルメントパネルにおいては、特許文献１に開示されているように、インパネロアの車幅方向中間部に設けた複数の固定部を、ステアリングサポートメンバの車幅方向中間部に設けた複数の被固定部に各別に固定してあった。
【０００４】
しかしながら、上記従来の固定構造によれば、インパネロアの車幅方向の端部と、インパネアッパーの車幅方向の端部とのステアリングサポートメンバ等に対する固定強度が十分ではなかった。
【０００５】
一般に、インパネロアの車両後方側の端部には、オーディオ機器等の重量物が取り付けられて、前記車両後方側の端部が重くなる。そのために、上記の固定強度が十分でない構造では、インパネロアの車幅方向の端部が垂れ下がりやすかった。そして、インパネアッパーの車幅方向の端部もインパネロアによって車両後方側下方に引きずられやすかった。
【０００６】
その結果、インパネアッパーの車幅方向の端部とインパネロアの車幅方向の端部の合わせ部や、インストルメントパネル全体の車幅方向の端部とフロントピラーとの合わせ部に隙間が生じ、インストルメントパネルの質感や外観品質が低下するという問題があった。
【０００７】
この問題を解消するために、特許文献２に開示されている非分割型のインストルメントパネルの固定構造を上下２分割型のインストルメントパネルに適用することが考えられる。特許文献２の固定構造とは、前記サイドブラケットの下端部から車両後方側に被固定部を延出し、インストルメントパネルの車幅方向の端部の下端部に設けた固定部を前記被固定部に、取り付けボルトで車幅方向に固定する構造である。
【０００８】
この固定構造を上下２分割型のインストルメントパネルに適用して、サイドブラケットの下端部から車両後方側に延出した被固定部に、インパネロアの車幅方向の端部の下端部に設けた固定部を固定する。
【先行技術文献】
【特許文献】
【０００９】
【特許文献１】特開２００３−１４６１１１号公報
【特許文献２】特開２００１−１６３０８４号公報
【発明の概要】
【発明が解決しようとする課題】
【００１０】
ところが、特許文献２の固定構造を上下２分割型のインストルメントパネルに適用しても、インパネロアの車幅方向の端部の下端部を、サイドブラケットを介してステアリングサポートメンバに強く固定することができるだけであった。
【００１１】
そのために、前記オーディオ機器等の重量物によりインパネロアの上端部に加わる力によって、インパネロアが、前記取り付けボルトの軸芯（横軸芯）周りで車両後方側に回転し、インパネロアの車幅方向の端部が垂れ下がりやすかった。また、インパネアッパーもインパネロアによって車両後方側下方に引きずられやすかった。
【００１２】
インパネアッパーとインパネロアの合わせ部に多数の係合部と被係合部を振分け配設することも考えられるが、この構造では、部品点数が増加するとともに、組み付け作業の作業性が低下するという新たな問題が生じる。
【００１３】
本発明は上記実状に鑑みて成されたもので、その目的は、部品点数の増加や組み付け作業の作業性の低下を招くことなく、質感や外観品質を向上させることができる上下２分割型のインストルメントパネルを提供する点にある。
【課題を解決するための手段】
【００１４】
本発明の特徴は、
互いに連結されるインパネアッパーとインパネロアとから成り、
前記インパネアッパーは、天井壁と、前記天井壁の後下方の上部前壁と、前記天井壁の横下方の上部側壁とを一体に備え、
前記インパネロアは、前記上部前壁の下方に配置される下部前壁と、前記上部側壁の下方に配置される下部側壁とを一体に備え、
サイドブラケットを介して車体側部に固定されたステアリングサポートメンバに支持されるインストルメントパネルであって、
前記サイドブラケットに延設された被固定部に、前記インパネロアの下部側壁の上端部に設けられた固定部が固定されている点にある。（請求項１）
【００１５】
この構成によれば、前記固定部が前記被固定部に固定されることで、インパネロアの下部側壁の上端部が、剛性の高いステアリングサポートメンバにサイドブラケットを介して固定される。これにより、下記の（１）〜（３）の作用を奏することができる。
（１）  ステアリングサポートメンバに対するインパネロアの車幅方向の端部の上端部の固定強度を上げることができて、インパネロアの車幅方向の端部の垂れ下がりを防止することができる。また、前記固定部と被固定部は、インパネアッパーの車幅方向の端部とインパネロアの車幅方向の端部との合わせ部に位置するから、前記合わせ部に隙間が形成されることを防止することができる。その結果、インストルメントパネルの質感を向上させることができる。
（２）  インパネアッパーがインパネロアに引きずられて車両後方側に垂れ下がることを防止できる。従って、インパネアッパーとインパネロアを合わせたインストルメントパネル全体の車幅方向の端部の垂れ下がりを防止することができ、インストルメントパネルの車幅方向の端部とフロントピラーの合わせ部に隙間が生じることを防止することができる。これにより、前記合わせ部の外観品質を向上させることができる。
（３）  これまでステアリングサポートメンバに固定されておらず剛性が低かったインパネロアの下部側壁の上端部がステアリングサポートメンバに固定されたことで、インパネロアの垂れ下がりを効果的に防止することができる。その結果、インパネアッパーとインパネロアの合わせ部に多数の係合部と被係合部を振分け配設する必要がなく、組み付け性の低下を回避することができる。
【００１６】
本発明において、
前記固定部は前記被固定部に締結部材によって車両前後方向に固定されていると、次の作用を奏することができる。（請求項２）
【００１７】
インパネロアが垂れ下がる場合、インパネロアの車幅方向の端部に、この端部を車両後方側に剥がす方向の力が加わって垂れ下がる。本発明の上記構成によれば、前記固定部は前記被固定部に締結部材によって車両前後方向に固定されているから、例えば、前記固定部が前記被固定部に締結部材によって車幅方向に固定されている構造に比べると、固定部と被固定部の固定構造を、前記剥がす方向の力に対して強い構造にすることができる。
その結果、インパネロアとインパネアッパーを合わせたインストルメントパネル全体の垂れ下がりを防止することができ、インストルメントパネルの車幅方向の端部とフロントピラーの合わせ部に隙間が生じることを確実に防止することができる。これにより、前記合わせ部の外観品質をより向上させることができる。（請求項２）
【００１８】
本発明において、
前記インパネアッパーとインパネロアの一方が他方に対して車幅方向に移動することを規制する規制手段が、前記固定部と被固定部から成る固定構造に隣接して設けられ、
前記規制手段は、前記一方に設けられた係合部と、他方に設けられた被係合部とから成ると、次の作用を奏することができる。（請求項３）
【００１９】
インパネアッパーの車幅方向の端部とインパネロアの車幅方向の端部との一方が他方に対して車幅方向に位置ずれすることを防止することができる。つまり、前記一方が他方に対して車両上下方向と車幅方向のいずれの方向に位置ずれすることも防止することができ、インストルメントパネルの外観品質を向上させることができる。（請求項３）
【００２０】
本発明において、
前記固定部と被固定部は前記インパネアッパーに覆われていると、インストルメントパネルの外観品質を向上させることができる。（請求項４）
【００２１】
本発明において、
前記車体側部に当接する前記サイドブラケットの本体部から車幅方向内側に張り出すフランジが設けられ、
前記フランジに前記被固定部が設けられていると、次の作用を奏することができる。（請求項５）
【００２２】
前記被固定部が設けられたブラケットを、サイドブラケットとは別個に設ける必要がなく、前記被固定部を設ける手段として、既設のサイドブラケットの一部分を変更するだけでよい。従って、サイドブラケットに、別部材から成るブラケットを組み付ける必要がなく、組み付け作業の作業性を向上させることができる。（請求項５）
【発明の効果】
【００２３】
本発明によれば、部品点数の増加や組み付け作業の作業性の低下を招くことなく、質感や外観品質を向上させることができる上下２分割型のインストルメントパネルを提供することができた。
【図面の簡単な説明】
【００２４】
【図１】車体側部とインストルメントパネルとフロントピラーを示す斜視図
【図２】図１のＸ部の拡大斜視図
【図３】図１のＹ部の拡大斜視図
【図４】ステアリングサポートメンバの斜視図
【図５】サイドブラケットの斜視図
【図６】インストルメントパネルの分解斜視図
【図７】（ａ）は、係合爪と係合孔の係合構造を示す斜視図（ｂ）は、スクリュー挿通孔と係合孔を示す固定部の斜視図（ｃ）は、係合爪を示す斜視図
【発明を実施するための形態】
【００２５】
以下、本発明の実施の形態を図面に基づいて説明する。
図１に、インストルメントパネル１の左側の部分と、このインストルメントパネル部分に隣接するフロントピラー２の左側の部分と、車体側部７とを示してある。インストルメントパネル１は、自動車の車室内のほぼ全幅にわたる長さの合成樹脂製の成形品であり、運転席及び助手席の車両前方側Ｆｒに配置されている。前記インストルメントパネル１は、車幅方向に沿うパイプ状のステアリングサポートメンバ３（図４参照）に支持されている。
【００２６】
［ステアリングサポートメンバ３の構造］
図４，図５に示すように、ステアリングサポートメンバ３の車幅方向の両端部にサイドブラケット４が固着されている。そして、サイドブラケット本体６（サイドブラケットの本体部に相当）の車幅方向外側Ｗ２を向く面６Ｍが車体側部７に重ね合わされてボルト固定されている。サイドブラケット４は、サイドブラケット本体６の板面が車幅方向を向く金属板から成る。
【００２７】
このように、ステアリングサポートメンバ３はサイドブラケット４を介して車体側部７に固定されている。ステアリングサポートメンバ３の長手方向中間部には、インストルメントパネル１を連結させる複数の連結ブラケット５が設けられている。各連結ブラケット５は、ステアリングサポートメンバ３から下側や斜め後上方に延びている。
【００２８】
［サイドブラケット４の構造］
前記車体側部７に当接するサイドブラケット本体６から車幅方向内側Ｗ１にサイドブラケットフランジ９が張り出している。これにより、サイドブラケット４の剛性を向上させることができる。そして、前記サイドブラケットフランジ９の上端部に、インストルメントパネル１側の後述の固定部３０を重ね合わせて固定する被固定部４０が、上方に向かって延設されている。被固定部４０にはスクリュー孔４１が形成され、被固定部４０の固定面は車両後方側Ｒｒを向いている。
【００２９】
［インストルメントパネル１の構造］
図６にも示すように、前記インストルメントパネル１は、互いに上下に連結されるインパネアッパー１０とインパネロア２０とから成る上下２分割型に構成されている。インストルメントパネル１を上下２分割型に構成することで、インパネアッパー１０とインパネロア２０を互いに異なる色に設定してインテリア性を向上させることができる等の効果を得ることができる。
【００３０】
［インパネアッパー１０の構造］
インパネアッパー１０は、天井壁１１と、天井壁１１の後下方の上部前壁１２と、天井壁１１の横下方の上部側壁１３とを一体に備えている。前記天井壁１１の壁面は上下方向を向き、上部前壁１２の壁面は車両前後方向を向き、上部側壁１３の壁面は車幅方向を向く。
【００３１】
［インパネアッパー１０の上部前壁１２の構造］
前記上部前壁１２は下側ほど車室内側（車両後方側Ｒｒ）に位置するように緩やかに傾斜している。また、天井壁１１と上部前壁１２の間の接続部は緩やかに円弧状に折曲している。上部前壁１２の車幅方向の一端部には、空気調整機で温度調整された空気を吹き出す長方形状の空気吹き出し口１２Ｈ（図６参照）が形成され、この空気吹き出し口１２Ｈにルーバー１２Ｒ（図１参照）が取り付けられている。
【００３２】
そして、上部前壁１２の下端部に、車両前方側Ｆｒに凹む段差状の下側第1連結部１２Ａが設けられている。この下側第1連結部１２Ａは、インパネロア２０の上側第１連結部２２Ａに連結される。
【００３３】
［インパネアッパー１０の上部側壁１３の構造］
前記上部側壁１３は天井壁１１の車幅方向の一端部と、上部前壁１２の車幅方向の一端部とに連なっている。また、上部側壁１３の車両前方側Ｆｒの端部に、車幅方向外側Ｗ２に張り出す第１側部フランジ１３Ｆが、上下方向全長にわたって設けられている。
【００３４】
図７（ａ），図７（ｃ）に示すように、第１側部フランジ１３Ｆの下端部から裏側（車両前方側Ｆｒ）に係合爪３３（係合部に相当）が突出している。係合爪３３は、車幅方向視で車両前方側Ｆｒに向かって窄まる台形状の爪本体３３Ａと、爪本体３３Ａの車幅方向外側Ｗ２側の面に突設された上下一対の車両前後方向に沿うリブ３３Ｂとから成る。
【００３５】
［インパネロア２０の構造］
図１，図６に示すように、インパネロア２０は、インパネアッパー１０の上部前壁１２の下方に配置される下部前壁２２と、前記上部側壁１３の下方に配置される下部側壁２３とを一体に備えている。下部前壁２２の壁面は車両前後方向を向き、下部側壁２３の壁面は車幅方向を向く。インパネロア２０はステアリングサポートメンバ３の連結ブラケット５に連結されている。下部前壁２２の車幅方向の中央部には、オーディオ機器等の重量物（図示せず）が取り付けられる。
【００３６】
［インパネロア２０の下部前壁２２の構造］
下部前壁２２の上端部に、車両前方側Ｆｒに凹む段差状の上側第１連結部２２Ａが設けられている。この上側第１連結部２２Ａは、インパネアッパー１０の下側第1連結部１２Ａに連結される。
【００３７】
［インパネロア２０の下部側壁２３の構造］
下部側壁２３の車両前方側Ｆｒの端部に、車幅方向外側Ｗ２に張り出す第２側部フランジ２３Ｆが、上下方向全長にわたって設けられている。また、下部側壁２３の上端部に、車幅方向内側Ｗ１に凹む段差状の上側第２連結部２３Ａが設けられている。この上側第２連結部２３Ａは、インパネアッパー１０の上部側壁１３の下端部に覆われる。
【００３８】
そして、図６に示すように、上側第２連結部２３Ａの車両前方側Ｆｒの端部に、車幅方向外側Ｗ２に張り出すフランジ状の固定部３０が設けられている。この固定部３０は、第２側部フランジ２３Ｆの上端部に連なり、固定部３０の車幅方向外側Ｗ２の端縁と、第２側部フランジ２３Ｆの車幅方向外側Ｗ２の端縁とは、車幅方向でほぼ同じ位置に位置する。
【００３９】
また、固定部３０の車幅方向内側Ｗ１の部分に、横に長い長孔状のスクリュー挿通孔３１が形成され、固定部３０の車幅方向外側Ｗ２の部分に、縦に長い長方形の長孔状の係合孔３２（被係合部に相当）が形成されている。つまり、スクリュー挿通孔３１と係合孔３２が車幅方向で隣接している。車幅方向における係合孔３２の長さＡ（図７（ｂ）参照）と、車幅方向における前記係合爪３３の長さＢ（図７（ｃ）参照）とはほぼ同一に設定されている。
【００４０】
［インパネアッパー１０とインパネロア２０との組み付け構造］
インパネロア２０がステアリングサポートメンバ３の連結ブラケット５（図４参照）に連結される。そして、図６に示すように、インパネアッパー１０の下側第1連結部１２Ａが、インパネロア２０のインパネロア２０の上側第１連結部２２Ａに連結される。図１に示すように、下側第1連結部１２Ａと上側第１連結部２２Ａは、車幅方向に細長いカバー部材１６で覆われる。
【００４１】
図６に示すように、インパネロア２０の前記固定部３０が、前記サイドブラケット４の前記被固定部４０に車両後方側Ｒｒから重ね合わされ、スクリュー１７（締結部材に相当）が固定部３０のスクリュー挿通孔３１に車両後方側Ｒｒから挿通されて、被固定部４０のスクリュー孔４１に螺合される。
【００４２】
また、インパネアッパー１０の第１側部フランジ１３Ｆの下端部が、インパネロア２０の前記固定部３０に車両後方側Ｒｒから重ね合わされ、第１側部フランジ１３Ｆの下端部から車両前方側Ｆｒに突出する係合爪３３が、前記固定部３０の係合孔３２に挿通係合される（図７（ａ）参照）。インパネアッパー１０とインパネロア２０との組み付け状態で、第１側部フランジ１３Ｆと第２側部フランジ２３Ｆとは上下に連続した状態になる。
【００４３】
上記のように、前記固定部３０は前記被固定部４０にスクリュー１７によって車両前後方向に固定されている。また、前記係合爪３３と係合孔３２が係合することで、インパネアッパー１０とインパネロア２０の一方が他方に対して車幅方向に移動することを規制している。つまり、インパネアッパー１０とインパネロア２０の一方が他方に対して車幅方向に移動することを規制する規制手段１８を前記係合爪３３と係合孔３２とで構成している。上記のように、前記規制手段１８は、前記固定部３０と被固定部４０から成る固定構造１９に隣接して設けられている。
【００４４】
図３に示すように、前記固定部３０と被固定部４０はインパネアッパー１０に車両後方側Ｒｒから覆われている。これにより、インストルメントパネル１の外観品質を向上させることができる。
【００４５】
本発明によれば、前記固定部３０が前記被固定部４０に固定されることで、インパネロア２０の下部側壁２３の上端部が、剛性の高いステアリングサポートメンバ３にサイドブラケット４を介して固定される。その結果、下記の（１）〜（３）の作用を奏することができる。
（１）  ステアリングサポートメンバ３に対するインパネロア２０の車幅方向の端部の上端部の固定強度を上げることができて、インパネロア２０の車幅方向の端部の垂れ下がりを防止することができる。また、前記固定部３０と被固定部４０は、インパネアッパー１０の車幅方向の端部とインパネロア２０の車幅方向の端部との合わせ部に位置するから、前記合わせ部に隙間が形成されることを防止することができる。従って、インストルメントパネル１の質感を向上させることができる。
【００４６】
（２）  インパネアッパー１０がインパネロア２０に引きずられて車両後方側Ｒｒに垂れ下がることを防止できる。従って、インパネアッパー１０とインパネロア２０を合わせたインストルメントパネル１全体の車幅方向の端部の垂れ下がりを防止することができ、インストルメントパネル１の車幅方向の端部とフロントピラー２の合わせ部に隙間が生じることを防止することができる。これにより、前記合わせ部の外観品質を向上させることができる。
【００４７】
（３）  これまでステアリングサポートメンバ３に固定されておらず剛性が低かったインパネロア２０の下部側壁２３の上端部がステアリングサポートメンバ３に固定されたことで、インパネロア２０の垂れ下がりを効果的に防止することができる。その結果、インパネアッパー１０とインパネロア２０の合わせ部に多数の係合部と被係合部を振分け配設する必要がなく、組み付け性の低下を回避することができる。
【００４８】
（４）  前記固定部３０は前記被固定部４０にスクリュー１７によって車両前後方向に固定されているから、次の作用を奏することができる。すなわち、インパネロア２０が垂れ下がる場合、インパネロア２０の車幅方向の端部に、この端部を車両後方側Ｒｒに剥がす方向の力（図３のＺ方向の力）が加って垂れ下がる。
本発明の上記構成によれば、前記固定部３０は前記被固定部４０にスクリュー１７によって車両前後方向に固定されているから、例えば、前記固定部３０が前記被固定部４０にスクリュー１７によって車幅方向に固定されている構造に比べると、固定部３０と被固定部４０の固定構造１９を、前記剥がす方向の力に対して強い構造にすることができる。
その結果、インパネロア２０とインパネアッパー１０を合わせたインストルメントパネル１全体の垂れ下がりを防止することができ、インストルメントパネル１の車幅方向の端部とフロントピラー２の合わせ部に隙間が生じることを確実に防止することができる。これにより、前記合わせ部の外観品質をより向上させることができる。
【００４９】
（５）  前記規制手段１８が、前記固定部３０と被固定部４０から成る固定構造１９に隣接して設けられているから、インパネアッパー１０の車幅方向の端部とインパネロア２０の車幅方向の端部との一方が他方に対して車幅方向に位置ずれすることを防止することができる。つまり、前記一方が他方に対して車両上下方向と車幅方向のいずれの方向に位置ずれすることも防止することができる。これにより、インストルメントパネル１の外観品質を向上させることができる。
【００５０】
（６）  前記サイドブラケット４に前記被固定部４０が一体に設けられているから、前記被固定部４０が設けられたブラケットを、サイドブラケット４とは別個に設ける必要がなく、前記被固定部４０を設ける手段として、既設のサイドブラケット４の一部分を変更するだけでよい。従って、サイドブラケット４に、別部材から成るブラケットを組み付ける必要がなく、組み付け作業の作業性を向上させることができる。
【符号の説明】
【００５１】
３          ステアリングサポートメンバ
４          サイドブラケット
６          サイドブラケットの本体部（サイドブラケット本体）
７          車体側部
９          フランジ（サイドブラケットフランジ）
１０        インパネアッパー
１１        天井壁
１２        上部前壁
１３        上部側壁
１７        締結部材（スクリュー）
１８        規制手段
１９        固定構造
２０        インパネロア
２２        下部前壁
２３        下部側壁
３０        固定部
３２        被係合部（係合孔）
３３        係合部（係合爪）    
４０        被固定部
Ｗ１        車幅方向内側
【図１】
2015182542.tif 000003
【図２】
2015182542.tif 000004
【図３】
2015182542.tif 000005
【図４】
2015182542.tif 000006
【図５】
2015182542.tif 000007
【図６】
2015182542.tif 000008
【図７】
2015182542.tif 000009